(57)【要約】【課題】駆動素子の数を減少させることが可能な表示モジュール及びその駆動方法を提供する。【解決手段】本発明の表示モジュール２は、スキャンラインS21〜S2m、データラインD21〜D2n、駆動回路２１及びレベル変換回路２２を備える。駆動回路２１は、少なくとも１個の第一駆動ユニット２１１及びそれに電気的に接続される少なくとも１個の第二駆動ユニット２１２を有する。非直流信号が、第一駆動ユニット２１１と第二駆動ユニット２１２に送られることで、第一駆動ユニット２１１及び/または第二駆動ユニット２１２の作動を制御する。第一駆動ユニット２１１は、第一駆動信号A11〜A1mをスキャンラインS21〜S2mに出力し、第二駆動ユニット２１２は、第二駆動信号A21〜A2nをレベル変換回路２２に出力する。レベル変換回路２２は、駆動回路２１及びデータラインD21〜D2nに電気的に接続されて、第二駆動信号A21〜A2nに基づき、表示信号A31〜A3nをデータラインD21〜D2nに出力する。【選択図】図４
2010026517.tif 000002
【特許請求の範囲】
【請求項１】
スキャンラインと、
データラインと、
少なくとも１個の第一駆動ユニット及びそれに電気的に接続される少なくとも１個の第二駆動ユニットを有し、非直流信号が前記第一駆動ユニットと前記第二駆動ユニットの間に送られて、第一駆動ユニット及び/または第二駆動ユニットの作動を制御し、前記第一駆動ユニットが第一駆動信号を前記スキャンラインに出力し、前記第二駆動ユニットが第二駆動信号を出力する駆動回路と、
前記駆動回路及び前記データラインに電気的に接続されて、前記第二駆動信号に基づき表示信号を前記データラインに出力するレベル変換回路とを備えることを特徴とする表示モジュール。
【請求項２】
前記第一駆動ユニットが前記第二駆動ユニットを介して前記非直流信号を受信するか、または、前記第二駆動ユニットが前記第一駆動ユニットを介して前記非直流信号を受信することを特徴とする請求項１に記載の表示モジュール。
【請求項３】
前記レベル変換回路は、前記第二駆動信号の電圧準位を調整することを特徴とする請求項１に記載の表示モジュール。
【請求項４】
前記レベル変換回路はさらに、出力イネーブル信号を受信して、前記出力イネーブル信号に基づき、前記表示信号を前記データラインに出力することを特徴とする請求項１に記載の表示モジュール。
【請求項５】
前記レベル変換回路は、サンプルホールド回路、または、レベルシフト回路であることを特徴とする請求項１に記載の表示モジュール。
【請求項６】
請求項1に記載の表示モジュールを駆動する方法であって、
前記非直流信号が前記第一駆動ユニット及び前記第二駆動ユニットに送られるステップと、
前記第一駆動ユニットによって、第一駆動信号が前記スキャンラインに出力されるステップと、
前記第二駆動ユニットによって、第二駆動信号が出力されるステップと、
前記レベル変換回路によって、前記第二駆動信号に基づき表示信号が前記データラインに出力されるステップとを備えることを特徴とする表示モジュールの駆動方法。
【請求項７】
さらに、前記レベル変換回路によって、前記第二駆動信号の電圧準位を調整して、前記レベル変換回路によって出力イネーブル信号に基づき、前記表示信号を前記データラインに出力するステップをさらに備えたことを特徴とする請求項６に記載の表示モジュールの駆動方法。
【請求項８】
スキャンラインと、
データラインと、
少なくとも１個の第一駆動ユニット及びそれに電気的に接続される少なくとも１個の第二駆動ユニットを有し、非直流信号が前記第一駆動ユニットと前記第二駆動ユニットの間に送られて、第一駆動ユニット及び/または第二駆動ユニットの作動を制御し、前記第一駆動ユニットが第一駆動信号を出力し、前記第二駆動ユニットが第二駆動信号を前記データラインに出力する駆動回路と、
前記駆動回路及び前記データラインに電気的に接続されて、前記第一駆動信号に基づきスキャン信号を前記スキャンラインに出力するレベル変換回路とを備えることを特徴とする表示モジュール。
【請求項９】
前記第一駆動ユニットが前記第二駆動ユニットを介して前記非直流信号を受信するか、または、前記第二駆動ユニットが前記第一駆動ユニットを介して前記非直流信号を受信することを特徴とする請求項８に記載の表示モジュール。
【請求項１０】
前記レベル変換回路は、前記第一駆動信号の電圧準位を調整することを特徴とする請求項８に記載の表示モジュール。
【請求項１１】
前記レベル変換回路はさらに、出力イネーブル信号を受信して、前記出力イネーブル信号に基づき、前記スキャン信号を前記スキャンラインに出力することを特徴とする請求項８に記載の表示モジュール。
【請求項１２】
前記レベル変換回路は、サンプルホールド回路、または、レベルシフト回路であることを特徴とする請求項８に記載の表示モジュール。
【請求項１３】
請求項８に記載の表示モジュールを駆動する方法であって、
前記非直流信号が前記第一駆動ユニット及び前記第二駆動ユニットに送られるステップと、
前記第一駆動ユニットによって、第一駆動信号が出力されるステップと、
前記第二駆動ユニットによって、第二駆動信号が前記データラインに出力されるステップと、
前記レベル変換回路によって、前記第一駆動信号に基づきスキャン信号が前記スキャンラインに出力されるステップとを備えることを特徴とする表示モジュールの駆動方法。
【請求項１４】
さらに、前記レベル変換回路によって、前記第一駆動信号の電圧準位を調整して、前記レベル変換回路によって出力イネーブル信号に基づき、前記スキャン信号を前記スキャンラインに出力するステップをさらに備えたことを特徴とする請求項１３に記載の駆動方法。
【請求項１５】
スキャンラインと、
データラインと、
少なくとも１個の第一駆動ユニット及びそれに電気的に接続される少なくとも１個の第二駆動ユニットを有し、非直流信号が前記第一駆動ユニットと前記第二駆動ユニットに送られて、第一駆動ユニット及び/または第二駆動ユニットの作動を制御し、前記第一駆動ユニットが第一駆動信号を出力し、前記第二駆動ユニットが第二駆動信号を出力する駆動回路と、
レベル変換ユニット及びそれに並列接続されるバイパスユニットを有し、前記駆動回路、前記スキャンライン及び前記データラインに電気的に接続されたレベル変換回路とを備え、
前記レベル変換回路は、選択信号に基づき前記第一駆動信号を選択し、前記レベル変換ユニットまたは前記バイパスユニットを介して、スキャン信号を前記スキャンラインに出力するか、または、前記表示信号を前記データラインに出力するか、または、前記選択信号に基づき前記第二駆動信号を選択し、前記レベル変換ユニットまたは前記バイパスユニットを介して、前記スキャン信号をスキャンラインに出力するか、または、前記表示信号を前記データラインに出力することを特徴とする表示モジュール。
【請求項１６】
前記レベル変換回路は、それぞれ前記第一駆動信号及び第二駆動信号の電圧準位を調整することを特徴とする請求項１５に記載の表示モジュール。
【請求項１７】
前記レベル変換回路はさらに、出力イネーブル信号を受信して、前記出力イネーブル信号に基づき、前記スキャン信号を前記スキャンラインに出力するか、または、前記表示信号を前記データラインに出力することを特徴とする請求項１５に記載の表示モジュール。
【請求項１８】
前記レベル変換回路は、サンプルホールド回路、または、レベルシフト回路を備えることを特徴とする請求項１５に記載の表示モジュール。
【発明の詳細な説明】
【技術分野】
【０００１】
本発明は、表示モジュール及びその駆動方法に関する。
【背景技術】
【０００２】
表示装置は、初期の陰極線管（cathode ray tube, CRT）表示装置に始まり、現在の液晶表示（liquid crystal display, LCD）装置、有機発光ダイオード（organic light emitting diode, OLED）表示装置及び電子ペーパー（E-Paper）表示装置にまで発展している。その体積及び重量はいずれも大幅に縮小されて、広く通信、情報及び消費型電子製品等に応用されている。
【０００３】
図１を参照しながら説明する。図１に示される従来の表示装置1は、液晶表示装置を例としている。それは、液晶表示モジュールを備え、液晶表示モジュールは、液晶表示パネル11、データ駆動回路12及びスキャン駆動回路（ゲート駆動回路）13を有する。データ駆動回路12は、複数のデータラインD11〜D1nによって液晶表示パネル11に電気的に接続される。スキャン駆動回路13は、複数のスキャンラインS11〜S1mによって液晶表示パネル11に電気的に接続される。
【０００４】
図２に示したように、データ駆動回路12は、シフトレジスタユニット122、第一レベルラッチユニット123、第二レベルラッチユニット124及びレベルシフトユニット125を備える。シフトレジスタユニット122は、第一レベルラッチユニット123に電気的に接続され、第二レベルラッチユニット124は、それぞれ第一レベルラッチユニット123及びレベルシフトユニット125に電気的に接続される。
【０００５】
同時に、図３を参照しながら説明する。シフトレジスタユニット122は、パルス開始（start pulse）信号S01及びクロック信号CKに基づき、シフトレジスタ信号SR1〜SRNを発生させ、それを第一レベルラッチユニット123に転送する。
【０００６】
第一レベルラッチユニット123は、シフトレジスタ信号SR1〜SRNに基づき、画像信号S02を受信する。画像信号S02は複数の画像データ（複数の画像信号）を含み、第一レベルラッチユニット123中に保存される。第二レベルラッチユニット124は、ラッチイネーブル（latch enable）信号S03に基づき、画像信号S02を第二レベルラッチユニット124中に読み取る。レベルシフトユニット125は、第二レベルラッチユニット124中に保存された画像信号S02を、複数の表示信号に変換し、対応するデータラインD11〜D1mを介して、表示信号を液晶表示パネル11に転送して表示画面を表示する。
【０００７】
しかしながら、現有の表示装置は、軽、薄、短、小の設計が主流である。このため、既存の表示装置の構造において、表示モジュール中のデータ駆動回路12及びスキャン駆動回路13を統合させて素子の数を減少させることができれば、表示装置において、さらにその空間が省略できる上、軽薄化が可能となり、生産コストの削減が図れる。
【発明の概要】
【発明が解決しようとする課題】
【０００８】
上記課題を解決するために、本発明は、駆動素子（駆動回路）の数を減少させることが可能な表示モジュール及びその駆動方法を提供することを目的とする。
【課題を解決するための手段】
【０００９】
上記目的を達成するために、本発明の表示モジュールは、スキャンライン、データライン、駆動回路及びレベル変換回路を備える。駆動回路は、少なくとも１個の第一駆動ユニット及びそれに電気的に接続される少なくとも１個の第二駆動ユニットを有する。非直流信号が、第一駆動ユニットと第二駆動ユニットに送られることで、第一駆動ユニット及び/または第二駆動ユニットの作動を制御する。第一駆動ユニットは、第一駆動信号をスキャンラインに出力し、第二駆動ユニットは、第二駆動信号をレベル変換回路に出力する。レベル変換回路は、駆動回路及びデータラインに電気的に接続されて、第二駆動信号に基づき、表示信号をデータラインに出力する。
【００１０】
上記目的を達成するために、本発明は表示モジュールの駆動方法を提供する。表示モジュールの駆動方法は、以下のステップを備える。非直流信号を第一駆動ユニットと第二駆動ユニットに送る。第一駆動ユニットによって、第一駆動信号をスキャンラインに出力する。第二駆動ユニットによって第二駆動信号を出力する。レベル変換回路によって第二駆動信号に基づき表示信号をデータラインに出力する。
【００１１】
上記目的を達成するために、本発明の表示モジュールは、スキャンライン、データライン、駆動回路及びレベル変換回路を備える。駆動回路は、少なくとも１個の第一駆動ユニット及びそれに電気的に接続される少なくとも１個の第二駆動ユニットを有する。非直流信号が第一駆動ユニットと第二駆動ユニットに送られることで、第一駆動ユニット及び/または第二駆動ユニットの作動を制御する。第一駆動ユニットは、第一駆動信号をレベル変換回路に出力し、第二駆動ユニットは、第二駆動信号をデータラインに出力する。レベル変換回路は、駆動回路及びデータラインに電気的に接続されて、第一駆動信号に基づき、スキャン信号をスキャンラインに出力する。
【００１２】
上記目的を達成するために、本発明は表示モジュールの駆動方法を提供する。駆動方法は、以下のステップを備える。非直流信号を第一駆動ユニットと第二駆動ユニットに送る。第一駆動ユニットによって、第一駆動信号を出力する。第二駆動ユニットによって第二駆動信号をデータラインに出力する。レベル変換回路によって第一駆動信号に基づきスキャン信号をスキャンラインに出力する。
【００１３】
上記目的を達成するために、本発明の表示モジュールは、スキャンライン、データライン、駆動回路及びレベル変換回路を備える。駆動回路は、少なくとも１個の第一駆動ユニット及びそれに電気的に接続される少なくとも１個の第二駆動ユニットを有する。非直流信号が、第一駆動ユニットと第二駆動ユニットの間に送られることで、第一駆動ユニット及び/または第二駆動ユニットの作動を制御する。第一駆動ユニットは、第一駆動信号を出力し、第二駆動ユニットは、第二駆動信号を出力する。レベル変換回路は、レベル変換ユニット及びそれに並列接続されるバイパスユニットを有する。レベル変換回路は、駆動回路、スキャンライン及びデータラインに電気的に接続されて、選択信号に基づき、第一駆動信号を選択し、レベル変換ユニットまたはバイパスユニットによって、スキャン信号をスキャンラインに出力するか、または、表示信号をデータラインに出力するか、または、選択信号に基づき、第二駆動信号を選択し、レベル変換ユニットまたはバイパスユニットによって、スキャン信号をスキャンラインに出力するか、または、表示信号をデータラインに出力する。
【００１４】
上記目的を達成するために、本発明は表示モジュールの駆動方法を提供する。このうち、表示モジュールは、スキャンライン、データライン、駆動回路及びレベル変換回路を備える。駆動回路は、少なくとも１個の第一駆動ユニット及び少なくとも１個の第二駆動ユニットを有する。レベル変換回路は、レベル変換ユニット及びそれに並列接続されるバイパスユニットを有する。駆動方法は、以下のステップを備える。非直流信号を第一駆動ユニットと第二駆動ユニットの間に送る。第一駆動ユニットによって、第一駆動信号を出力する。第二駆動ユニットによって第二駆動信号を出力する。レベル変換回路によって、選択信号に基づき第一駆動信号を選択して、レベル変換ユニットまたはバイパスユニットによって、スキャン信号をスキャンラインに出力するか、表示信号をデータラインに出力する。あるいは、レベル変換回路によって、選択信号に基づき第二駆動信号を選択して、レベル変換ユニットまたはバイパスユニットによって、スキャン信号をスキャンラインに出力するか、または、表示信号をデータラインに出力する。
【００１５】
このように、本発明の表示モジュール及びその駆動方法では、駆動回路及びレベル変換回路を有する表示モジュールを利用して、スキャン信号及び表示信号を処理することで、画像を画面に表示する。従来の技術と比較して、本発明の表示装置は、従来のスキャン駆動回路及びデータ駆動回路を統合させた外、さらに、シンプルな構造の表示モジュールを使用して、同時にスキャン信号及び表示信号を処理する。したがって、本発明の表示モジュール及びその駆動方法は、駆動素子（駆動回路）の数を減少させて空間を節約して、生産コストの削減を可能にする。
【発明の効果】
【００１６】
本発明の表示モジュール及びその駆動方法では、駆動回路及びレベル変換回路を有する表示モジュールを利用して、スキャン信号及び表示信号を処理することで、画像を画面に表示する。従来の技術と比較して、本発明の表示装置は、従来のスキャン駆動回路及びデータ駆動回路を統合させた外、さらに、シンプルな構造の表示モジュールを使用して、同時にスキャン信号及び表示信号を処理する。したがって、本発明の表示モジュール及びその駆動方法は、駆動素子（駆動回路）の数を減少させて空間を節約して、生産コストの削減を可能にする。
【図面の簡単な説明】
【００１７】
【図１】従来の表示装置を示した図である。
【図２】従来のデータ駆動回路を示した図である。
【図３】従来の表示装置におけるデータ駆動回路のタイミングコントロール図である。
【図４】本発明の第一の実施形態における表示装置を示した図である。
【図５】本発明の第一の実施形態における画素ユニットを示した図である。
【図６】本発明の第一の実施形態における駆動回路を示した図である。
【図７】本発明の第一の実施形態における表示装置の駆動回路のタイミングコントロール図である。
【図８】本発明の第一の実施形態における表示装置のレベル変換回路の例を示した図である。
【図９】本発明の第一の実施形態における表示装置のレベル変換回路の例を示した図である。
【図１０】本発明の第一の実施形態における制御方法のステップを示したフローチャートである。
【図１１】本発明の第二の実施形態における表示装置を示した図である。
【図１２】本発明の第二の実施形態における制御方法のステップを示したフローチャートである。
【図１３】本発明の第三の実施形態における表示装置を示した図である。
【図１４】本発明の第三の実施形態における表示装置のレベル変換回路を示した図である。
【図１５】本発明の第三の実施形態における駆動回路のスキャンライン及びデータラインの設置例を示した図である。
【図１６】本発明の第三の実施形態における駆動回路のスキャンライン及びデータラインの設置例を示した図である。
【図１７】本発明の第三の実施形態における制御方法のステップを示したフローチャートである。
【発明を実施するための形態】
【００１８】
以下、図を参照しながら、本発明の各実施形態に係る表示モジュール及びその駆動方法について説明する。
【００１９】
本発明の表示モジュールは、非揮発性表示モジュールである。いわゆる非揮発性表示モジュールとは、表示モジュールが少なくとも２個の安定状態を有し、電源供給を行わない状態でも前記安定状態が少なくとも数十ミリ秒維持できるものを指す。また、表示モジュール中の光学調整物質は、電気泳動液、エレクトロウェッティング物質、コレステロール（cholesterol）液晶またはネマチック（Nematic）液晶を含む。
【００２０】
（第一実施形態）
図４を参照しながら説明する。本発明の第一の実施形態における表示モジュール2は、スキャンライン、データライン、駆動回路21及びレベル変換回路22を備える。本実施形態においては、表示モジュール2が、複数のスキャンラインS21〜S2m及び複数のデータラインD21〜D2nを含む場合を例として説明する。駆動回路21は、それぞれスキャンラインS21〜S2m及びレベル変換回路22に電気的に接続され、レベル変換回路22は、データラインD21〜D2nに電気的に接続される。このうち、m、nは1の正整数よりも大きい。
【００２１】
駆動回路２１は、少なくとも１個の第一駆動ユニット及び少なくとも１個の第二駆動ユニットを有する。本実施形態において、駆動回路21は、複数の第一駆動ユニット211及び複数の第二駆動ユニット212を有する場合を例として説明する。第一駆動ユニット211は、第二駆動ユニット212に電気的に接続される。このうち、各第一駆動ユニット211及び各第二駆動ユニット212は、同様か異なる回路構造を有するが、ここでは制限しない。
【００２２】
表示モジュール2が駆動されると、第一駆動ユニット211は、第一駆動信号A11〜A1mを、対応するスキャンラインS21〜S2m，に出力する。第二駆動ユニット221は、第二駆動信号A21〜A2nを、レベル変換回路22に出力する。レベル変換回路22は、さらに出力イネーブル信号OE1を受信し、第二駆動信号A21〜A2n及び出力イネーブル信号OE1に基づき、表示信号A31〜A3nをデータラインD21〜D2nに出力する。本実施形態において、レベル変換回路22は、サンプルホールド回路またはレベルシフト回路である。
【００２３】
図４を参照しながら説明する。表示モジュール2はさらに、表示パネル23を備える。それは、少なくとも１個の画素ユニットを有する。その配列方式は、一次元マトリクスまたは二次元マトリクス形式である。第一の実施形態においては、表示パネル23が画素ユニット2311〜23mnを含む場合を例とする。その配列方式は、二次元マトリクス方式である。表示パネル23上には、スキャンラインS21〜S2mとデータラインD21〜D2nとが交差して設置されて複数の交差区域を形成し、各画素ユニット2311〜23mnが対応する交差区域に設置される。説明を簡単にするために、等価回路である各画素ユニット2311〜23mnのうち、画素ユニット2311を例として説明する。
【００２４】
図５を参照しながら説明する。画素ユニット2311は、トランジスタT1及び画素コンデンサCLCを備える。トランジスタT1は、それぞれスキャンラインS21及びデータラインD21に電気的に接続され、画素コンデンサCLCの一端はトランジスタT1電に電気的に接続され、他端は共同電圧Vcomに電気的に接続される。
【００２５】
図６を参照しながら説明する。第一駆動ユニット211及び第二駆動ユニット212中には、いずれも、それぞれ少なくとも１個のレジスタがある。図6に示したレジスタR1〜Riは、シフトレジスタユニット213を組成して、駆動信号及び画像信号を保存する目的を達成する。駆動回路21は、シフトレジスタユニット213以外に、さらに、レベルシフトユニット214を備える。レベルシフトユニット214は、それぞれシフトレジスタユニット213及びレベル変換回路22に電気的に接続される。非直流信号が、第一駆動ユニット211と第二駆動ユニット212に送られ、それは、駆動信号及び/または画像信号となる。非直流信号は、第一駆動ユニット211を介して第二駆動ユニット212に送られるか、または、第二駆動ユニット212を介して第一駆動ユニット211に送られるが、本実施形態においては制限されない。ここで、上記の非直流信号には、パルス信号、正弦波信号、三角波信号、のこぎり波信号などが含まれる。
【００２６】
シフトレジスタユニット213は、少なくとも１個の入力信号を受信する。本実施形態において、シフトレジスタユニット213は、信号転送ケーブルIMに電気的に接続される。信号転送ケーブルIMは入力信号A41を受信する。しかしながら、使用者がパネルのケーブル接続環境に応じて、順序通りに、駆動信号及び画像信号をシフトレジスタユニット213中に入力する場合は、信号の転送及び受信方式を特に制限しない。また、入力信号A41は、外部回路または表示モジュール2の内部（例えば駆動回路21）から発生されることも可能で、ここでは信号の発生方式を特に制限しない。
【００２７】
図７を参照しながら説明する。入力信号A41は、複数の駆動データB11〜B1m及び複数の画像データB21〜B2nを含む。
【００２８】
時間t01〜t02において、シフトレジスタユニット213は、クロック信号CKを受信して、クロック信号CKに基づき入力信号A41を受信する。以下に、シフトレジスタユニット213の作動方式について詳しく説明する。
【００２９】
シフトレジスタユニット213は、時間t01において、クロック信号CKに合わせて入力信号A41の受信を開始する。シフトレジスタユニット213は、入力信号A41を受信した後、駆動データB11をレジスタR1中に一時保存し、駆動データB12をレジスタR2中に一時保存するという形式で、あとはこれに準じる。クロック信号CKに伴い、駆動データB11〜B1m及び画像データB21〜B2nは、レジスタR1〜Ri中に保存される。この時、出力イネーブル信号OE2によって、レベルシフトユニット214がＯＦＦにされる。従って、この時、駆動データB11〜B1m及び画像データB21〜B2nは、スキャンラインS21〜S2m及びデータラインD21〜D2nに出力されない。
【００３０】
図７を参照しながら説明する。時間t02〜t04において、クロック信号CKは、例えば、低電圧準位のような固定準位に位置する。当然、異なる実施例において、クロック信号CKは、高電圧準位または浮動充電状態も可能である。そして、シフトレジスタユニット213が、レジスタR1〜Ri中のシフト動作を停止する。この時、シフトレジスタユニット213が、出力駆動信号及び出力画像信号をレベルシフトユニット214に発生させる。レベルシフトユニット214は、それぞれ出力駆動信号及び出力画像信号の電圧準位を調整する。ここで、出力駆動信号は、駆動データB11〜B1mを含み、出力画像信号は画像データB21〜B2nを含む。
【００３１】
レベルシフトユニット214は、出力イネーブル信号OE2に基づき、出力駆動信号を第一駆動信号A11〜A1mに変換させた後、さらに、それを対応するスキャンラインS21〜S2m，に出力する。また、出力画像信号を第二駆動信号A21〜A2nに変換させた後、さらに、それをレベル変換回路22に出力する。レベル変換回路22は、出力イネーブル信号OE1に基づき、第二駆動信号A21〜A2nを表示信号A31〜A3nに変換させた後、さらに、それを対応するデータラインD21〜D2nに出力する。このうち、表示信号A31〜A3nの準位は、表示したい画像によって、異なる準位を有する。図中に示された内容に制限されない。
【００３２】
図８を参照しながら説明する。この例では、レベル変換回路22は、サンプルホールド回路であり、複数のトランジスタを備える。以下に、トランジスタT2１個の場合を例として説明する。この例では、第二駆動信号A21は、トランジスタT2のＯＮ状態またはＯＦＦ状態をコントロールする。トランジスタT2がＯＮの時、表示信号A91は、トランジスタT2を介して、データラインD21中に転送される。このうち、表示信号A91は、単一準位信号または多準位信号である。
【００３３】
さらに、図９を参照しながら説明する。この例では、レベル変換回路22は、インバータ回路であり、それは、インバータユニットを備える。以下に、インバータユニットが１個の場合を例に説明する。インバータユニットは、トランジスタT3及びトランジスタT4を備える。本実施形態において、インバータ回路によって、第二駆動信号A21の電圧準位を、電圧準位V+または電圧準位V-に変換して、データラインD21に出力する。
【００３４】
また、実際には、駆動回路21及びレベル変換回路22の少なくとも一部は、単結晶半導体製造工程技術によってＩＣ（integrated circuit, IC）チップ中に設置されるか、または、多結晶製造工程または非結晶製造工程によって、画素ユニット2311〜23mnと同じ基板に設置される。ここで、非結晶製造工程は、非結晶シリコン薄膜トランジスタ製造工程または有機薄膜トランジスタ製造工程であり、その混合形式も可能である。例えば、駆動回路21は、単結晶半導体製造工程技術によってＩＣチップ中に設置されて、レベル変換回路22は多結晶製造工程または非結晶製造工程によって、画素ユニット2311〜23mnと同じ基板に設置される。
【００３５】
図１０を参照しながら説明する。本発明の第一の実施形態における表示モジュールの駆動方法は、図4に示した表示モジュール2を応用することが可能である。本発明の制御方法は、ステップS11からステップS14を備える。
【００３６】
ステップS11では、非直流信号が第一駆動ユニットと第二駆動ユニットに送られる。ステップS12では、第一駆動ユニットによって第一駆動信号がスキャンラインに出力される。ステップS13では、第二駆動ユニットによって第二駆動信号が出力される。非直流信号は、前記第一駆動ユニット及び前記第二駆動ユニットの作動を制御する。ステップS14では、レベル変換回路によって第二駆動信号に基づき表示信号がデータラインに出力される。
【００３７】
このうち、詳細な駆動制御方式は、すでに述べられているため、ここでは詳述しない。ただし、上述のステップは、この順序に制限されず、製造工程に応じてステップの変更が可能である。
【００３８】
（第二実施形態）
図１１を参照しながら説明する。本発明の第二の実施形態における表示モジュール3は、スキャンライン、データライン、駆動回路31及びレベル変換回路32を備える。本実施形態において、表示モジュール3は、複数のスキャンラインS21〜S2m及び複数のデータラインD21〜D2nを有している。駆動回路31は、それぞれデータラインD21〜D2n及びレベル変換回路32に電気的に接続され、レベル変換回路22はスキャンラインS21〜S2mに電気的に接続される。
【００３９】
駆動回路31は、少なくとも一つの第一駆動ユニット及び少なくとも一つの第二駆動ユニットを備える。本実施形態において、駆動回路31は、複数の第一駆動ユニット311及び複数の第二駆動ユニット312の場合を例として説明する。第一駆動ユニット311は、第二駆動ユニット312に電気的に接続される。このうち、各第一駆動ユニット311及び各第二駆動ユニット312は、それぞれ同じか異なる回路構造を有するが、ここでは制限しない。
【００４０】
図１１を参照しながら説明する。表示モジュール3はさらに、表示パネル33を備える。第二の実施形態において、表示パネル33は、画素ユニット3311〜33mnを含む。また、駆動回路31、レベル変換回路32、第一駆動ユニット311、第二駆動ユニット312、表示パネル33及び画素ユニット 3311〜33mnは、図4に示した駆動回路21、レベル変換回路22、第一駆動ユニット211、第二駆動ユニット212及び画素ユニット2311〜23mnと同様である。その機能、回路及び作動方式は、上述の通りであるため、ここでは詳述しない。
【００４１】
また、実際には、駆動回路31及びレベル変換回路32の少なくとも一部は、単結晶半導体製造工程技術によって、ＩＣチップ中に設置されれるか、または、多結晶製造工程または非結晶製造工程によって、画素ユニット3311〜33mnと同じ基板に設置される。ここで、非結晶製造工程は、非結晶シリコン薄膜トランジスタ製造工程または有機薄膜トランジスタ製造工程であるが、その混合形式も可能である。例えば、駆動回路31は、単結晶半導体製造工程技術によって、ＩＣチップ中に設置されて、レベル変換回路32は、多結晶製造工程または非結晶製造工程によって、画素ユニット3311〜33mnと同じ基板に設置される。
【００４２】
表示モジュール3が駆動されると、第一駆動ユニット311は、第一駆動信号A11〜A1mをレベル変換回路22に出力する。第二駆動ユニット312は、第二駆動信号A21〜A2nを対応するデータラインD21〜D2nに出力する。レベル変換回路32はさらに、出力イネーブル信号OE3を受信して、第一駆動信号A11〜A1mと出力イネーブル信号OE3とに基づきスキャン信号A61〜A6mをスキャンラインS21〜S2nに出力する。
【００４３】
図１２を参照しながら説明する。本発明の第二の実施形態における表示モジュールの駆動方法は、図11に示した表示モジュール3の通りである。本発明の制御方法は、ステップS21からステップS24を備える。
【００４４】
ステップS21では、非直流信号が第一駆動ユニット及び第二駆動ユニットに送られる。ステップS22では、第一駆動ユニットによって第一駆動信号が出力される。ステップS23では、第二駆動ユニットによって第二駆動信号がデータラインに出力される。非直流信号は、第一駆動ユニット及び第二駆動ユニットの作動を制御する。ステップS24では、レベル変換回路によって第一駆動信号に基づきスキャン信号がスキャンラインに出力される。
【００４５】
このうち、詳細な制御方式は、すでに述べられているため、ここでは詳述しない。ただし、上述のステップはこの順序に限らず、製造工程に応じてステップが変更することが可能である。
【００４６】
（第三実施形態）
図１３を参照しながら説明する。本発明の第三の実施形態における表示モジュール4は、スキャンライン、データライン、駆動回路41及びレベル変換回路42を備える。本実施形態において、表示モジュール4は、複数のスキャンラインS21〜S2m及び複数のデータラインD21〜D2nの場合を例として説明する。駆動回路41は、レベル変換回路42に電気的に接続され、レベル変換回路42は、それぞれデータラインD21〜D2n及びスキャンラインS21〜S2mに電気的に接続される。
【００４７】
駆動回路41は、少なくとも一つの第一駆動ユニット及び少なくとも一つの第二駆動ユニットを有する。本実施形態において、駆動回路41は、複数の第一駆動ユニット411及び複数の第二駆動ユニット412を有する場合を例として説明する。第一駆動ユニット411は、第二駆動ユニット412に電気的に接続される。このうち、各第一駆動ユニット411及び各第二駆動ユニット412は、それぞれ同じか異なる回路構造を有するが、ここでは制限しない。
【００４８】
図１３を参照しながら説明する。表示モジュール4はさらに、表示パネル43を備える。第三の実施形態において、表示パネル43は、画素ユニット4311〜43mnを含む場合を例として説明する。また、駆動回路41、レベル変換回路42、第一駆動ユニット411、第二駆動ユニット412、表示パネル43及び画素ユニット 4311〜43mnは、図4に示した駆動回路21、レベル変換回路22、第一駆動ユニット211、第二駆動ユニット212及び画素ユニット2311〜23mnと同様であるため、その機能、回路及び作動方式は上述の通りであり、ここでは詳述しない。
【００４９】
また、実際には、駆動回路41及びレベル変換回路42の少なくとも一部は、単結晶半導体製造工程技術によってＩＣチップ中に設置されるか、または、多結晶製造工程または非結晶製造工程によって、画素ユニット4311〜43mnと同じ基板に設置される。ここで、非結晶製造工程は、非結晶シリコン薄膜トランジスタ製造工程または有機薄膜トランジスタ製造工程であるが、混合形式も可能である。例えば、駆動回路41は、単結晶半導体製造工程技術によってＩＣチップ中に設置され、レベル変換回路42は多結晶製造工程または非結晶製造工程によって、画素ユニット4311〜43mnと同じ基板に設置される。
【００５０】
表示モジュール4が駆動されると、第一駆動ユニット411は、第一駆動信号A11〜A1mをレベル変換回路42に出力し、第二駆動ユニット412は、第二駆動信号A21〜A2nをレベル変換回路42に出力する。レベル変換回路42はさらに、出力イネーブル信号OE4を受信して、出力イネーブル信号OE4に基づき、スキャン信号A71〜A7mをスキャンラインS21〜S2mに出力し、表示信号A81〜A8nをデータラインD21〜D2nに出力する。
【００５１】
図１４を参照しながら説明する。レベル変換回路42はさらに、複数のレベル変換ユニット及び複数のバイパスユニットを備える。このうち、各レベル変換ユニットは、対応する複数のバイパスユニットに電気的に接続される。その一端は、第一駆動ユニット411または第二駆動ユニット412に電気的に接続され、他端は、スキャンラインS21〜S2mまたはデータラインD21〜D2nに電気的に接続される。以下に、レベル変換ユニット421及びバイパスユニット422が一個の場合を例として説明する。
【００５２】
レベル変換回路42は、選択信号S31に基づき、第一駆動信号A11〜A1mを選択してレベル変換ユニット421またはバイパスユニット422を介して、スキャン信号A71〜A7mをスキャンラインS21〜S2m，に出力するか、または、表示信号A81〜A8nをデータラインD21〜D2nに出力するか、または、選択信号に基づき第二駆動信号A21〜A2mを選択してレベル変換ユニット421またはバイパスユニット422を介して、スキャン信号A71〜A7mをスキャンラインS21〜S2mに出力するか、または、表示信号A81〜A8nをデータラインD21〜D2nに出力する。例えば、レベル変換回路42は、選択信号S31に基づき、第一駆動信号A11〜A1mにバイパスユニット422を通過させるか、又は第二駆動ユニット412にレベル変換ユニット421を通過させる。
【００５３】
また、本実施形態において、レベル変換回路42に接続されるスキャンラインS21〜S2m及びデータラインD21〜D2nの配列方式は制限されない。この技術に熟知する者は、スキャンラインS21〜S2mとデータラインD21〜D2nを図１５及び図１６の交差方式によって配列させるか、その他の形式の配列させることができるが、ここでは特に制限しない。
【００５４】
図１７を参照しながら説明する。本発明の第三の実施形態における表示モジュールの駆動方法は、図１３に示した表示モジュール4を応用する。本発明の制御方法は、ステップS31からステップS34を備える。
【００５５】
ステップS31では、非直流信号が第一駆動ユニット及び第二駆動ユニットに送られる。ステップS32では、第一駆動ユニットによって第一駆動信号が出力される。ステップS33では、第二駆動ユニットによって第二駆動信号が出力される。非直流信号は、第一駆動ユニット及び第二駆動ユニットの作動を制御する。ステップS34では、レベル変換回路によって、選択信号に基づき、第一駆動信号を選択して、レベル変換ユニットまたはバイパスユニットを介して、スキャン信号をスキャンラインに出力するか、または、表示信号をデータラインに出力する。ステップS35では、レベル変換回路によって、選択信号に基づき第二駆動信号を選択して、レベル変換ユニットまたはバイパスユニットを介して、スキャン信号をスキャンラインに出力するか、または、表示信号をデータラインに出力する。
【００５６】
このうち、詳細な制御方式は、既に述べられているため、ここでは詳述しない。ただし、上述のステップはこの順序に限られたものではなく、製造工程に応じてステップの変更が可能である。
【００５７】
また、第一の実施形態において、駆動回路21と表示パネル23に接続されるスキャンラインS21〜S2m、及びレベル変換回路22と表示パネル23に接続されるデータラインD21〜D2nの配列方式は制限されない。この技術を熟知する者は、スキャンラインS21〜S2mとデータラインD21〜D2nを図１５及び図１６の交差方式のような配列、または、その他の形式による配列が可能であるが、ここでは特に制限しない。
【００５８】
このように、本発明の駆動回路、表示装置及び表示装置の制御方法は、シフトレジスタユニット及びレベルシフトユニットを有する駆動回路を利用することで、表示モジュールに画像を画面表示させる。従来の技術と比較して、本発明の表示装置は、従来のスキャン駆動回路及びデータ駆動回路を統合させた外、さらに、シンプルな構造の駆動回路が、同時にスキャン信号及び表示信号を処理する。したがって、本発明の駆動回路、表示装置及び表示装置の制御方法は、駆動素子（駆動回路）の数を減少させて空間を節約して、生産コストの削減を可能にする。
【００５９】
以上、本発明の実施形態を図面を参照して詳述してきたが、具体的な構成は、これらの実施形態に限られるものではなく、本発明の要旨を逸脱しない範囲の設計変更などがあっても、本発明に含まれる。
【符号の説明】
【００６０】
2、3、4  表示モジュール
21、31、41  駆動回路
211、311、411  第一駆動ユニット
212、312、412  第二駆動ユニット
213  シフトレジスタユニット
214  レベルシフトユニット
22、32、42  レベル変換回路
23、33、43  表示パネル
2311〜23mn、3311〜33mn、4311〜43mn  画素ユニット
421  レベル変換ユニット
422  バイパスユニット
A11〜A1m  第一駆動信号
A21〜A2n  第二駆動信号
A31〜A3n  表示信号
A41  入力信号
A61〜A6m、A71〜A7m  スキャン信号
A81〜A8n、A91  表示信号
B21〜B2n  画像データ
D21〜D2n  データライン
OE1、OE2、OE3、OE4  出力イネーブル信号
S21〜S2m  スキャンライン
S11〜S14、S21〜S24、S31〜S35  ステップ
【図１】
2010026517.tif 000003
【図２】
2010026517.tif 000004
【図３】
2010026517.tif 000005
【図４】
2010026517.tif 000006
【図５】
2010026517.tif 000007
【図６】
2010026517.tif 000008
【図７】
2010026517.tif 000009
【図８】
2010026517.tif 000010
【図９】
2010026517.tif 000011
【図１０】
2010026517.tif 000012
【図１１】
2010026517.tif 000013
【図１２】
2010026517.tif 000014
【図１３】
2010026517.tif 000015
【図１４】
2010026517.tif 000016
【図１５】
2010026517.tif 000017
【図１６】
2010026517.tif 000018
【図１７】
2010026517.tif 000019